(57)【要約】【課題】  本発明の目的は苗箱収納棚の分解、組立ての容易なパイプ材等の機材の組立体としこの組立体内に苗箱の出入れが自在でかつ苗箱を多数安定的に収納でき、容易かつ安定的に移動搬送することができる苗箱収納棚用の支柱と横材の分解、組立用の継ぎ手を提供することにある。【解決の手段】  左右の支柱の上端又は下端と、左右の支柱の上端同士および下端同士を連結する上下の横材の右端又は左端とを連結することを特徴とする支柱と横材との組立体である苗箱収納輸送棚用Ｌ型継ぎ手。【選択図】  図１
2006262901.tif 000002
【特許請求の範囲】
【請求項１】
左右の支柱の上端又は下端と、左右の支柱の上端同士および下端同士を連結する上下の横材の右端又は左端とを連結することを特徴とする支柱と横材との組立体である苗箱収納輸送棚用Ｌ型継ぎ手。
【請求項２】
横材の中央部に介在され、中央の支柱の上端又は下端を横材に連結することを特徴とする支柱と横材との組立体である苗箱収納輸送棚用Ｔ型継ぎ手。
【請求項３】
上下の横材に連結されているＬ型継ぎ手が筋違い補強桟の上下端に夫々連結されている請求項１記載のＬ型継ぎ手。
【発明の詳細な説明】
【技術分野】
【０００１】
本発明は稲苗等の苗栽培箱をその栽培温室から田植現場の田圃へ多量にトラック移送することを目的とした苗箱収納棚に関する。
【背景技術】
【０００２】
従来においても多数の苗箱を前後左右に複数列に上下に複数段に出入れ自在にかつ安定的に載架収納するようにした苗箱収納棚は知られている。
【０００３】
【特許文献１】実公昭５１−３１２９４号公報
【特許文献２】実開平６−３１４４２号公報
【特許文献３】公開実用昭和５６−２４８１７
【特許文献４】公開実用昭和５２−１５８０５０
【特許文献５】特許第３４３４６５６号公報
【発明の開示】
【発明が解決しようとする課題】
【０００４】
本発明の目的は苗箱収納棚を分解、組立ての容易なパイプ材等の機材の組立体としこの組立体内に苗箱の出入れが自在でかつ苗箱を多数安定的に収納でき、容易かつ安定的に移動搬送することができる苗箱収納棚を提供することにある。
【課題を解決するための手段】
【０００５】
本発明は左右および中央の支柱とこれら支柱の上下端を夫々連結する上下の横材からなる前後１対の枠体を、前後相対応する支柱間に夫々上下段状に架け渡した左右および中央の水平材で連結すると共に前後の枠体において上下の横材と左右の支柱とを連結する両端の連結部材間を斜めに連結しかつ中央の支柱に共通的に連結される対の筋違い補強桟を夫々配設し、左右の各段の水平材は夫々同一高さに設定すると共に中央の各段の水平材は対応する段の左右の水平材よりも低い位置に夫々設定し、左または／および右の各段の水平材と中央の対応する各段の水平材との間に、苗箱を出入自在に架け渡し多段の苗箱を各段毎に左右から中央に向って下降傾斜状に前後に相並べて収納するようにしたことを特徴とする苗箱の収納輸送棚に係わる。
【０００６】
本発明は上記において横材がＴ型継ぎ手の左右の接続手に接続された左右のパイプ材よりなりＴ型継ぎ手の残りの縦の接続手には中央のパイプ状支柱の上端または下端が連結されている苗箱の収納輸送棚に係わる。
【０００７】
また、本発明は上記において左右のパイプ状支柱の上端または下端とパイプ状横材の右端または左端とがＬ型継ぎ手で連結され、Ｌ型継ぎ手に筋違い補強機の端部が連結されている苗箱の収納輸送棚に係わる。
【０００８】
また、本発明は上記において左右の支柱の上部外側面には棚吊上げ用取付環が取付けられている苗箱の収納輸送棚に係わる。
【０００９】
また、本発明は上記において中央の水平材が苗箱の下降側端部を支持する受桟を構成し該受桟は苗箱の下面を案内する比較的長い受け面と苗箱の上面を案内する比較的短い受け面とを備えかつ両受け面間に苗箱の端側面を受ける支承面を形成した苗箱の収納輸送棚に係わる。
【００１０】
また、本発明は上記において比較的長い受け面はその上昇先端側縁が苗箱との線接触部を形成しこの線接触部から下降方向に非接触面を介して苗箱との面接触部が形成されている苗箱の収納輸送棚に係わる。
【００１１】
また、本発明は上記において中央の水平材は縦断面台形のパイプ材で構成され、その台形側面が苗箱端側面の支承面を形成しかつ台形の下端両側に比較的長い受け面を、また上端両側に比較的短い受け面を夫々左右対称に張り出し形成している苗箱の収納輸送棚に係わる。
【００１２】
また、本発明は上記において左右の水平材が断面横倒し型台形のパイプ材よりなり、その上面が苗箱を下降傾斜状に案内する支持面を形成している苗箱の収納輸送棚に係わる。
【発明の効果】
【００１３】
本発明の苗箱の収納棚によれば田植用稲苗を実装した多段の苗箱群を収納棚の各段毎に側方の外側より高位の水平材から低位の水平材に向って２０°前後の下降傾斜状に前後に相並べて収納し、この苗箱を収納した棚をクレーン等で軽トラックの荷台上に前後がトラックの走行方向に向かうように積み込むことにより、収納苗箱がトラック荷台上に上向きに開いた配列で上下に段設されかつ前後にも相並んだ状態でトラック輸送できるので、苗箱および苗箱に実装した稲苗の荷姿を崩すことなく定常的に田植現地に搬送できる利点を有する。
【００１４】
また、本発明の苗箱の収納棚によればアルミ製角パイプの組立体であるため軽量で苗箱の輸送棚としては好適であり、前後の枠体に筋違い補強桟を備えたことで使用時および輸送時の十分な強度を保証している。
【発明を実施するための最良の形態】
【００１５】
以下に本発明を図面に示す実施例によって説明するが、本発明はこれのみに制約されるものではない。
【実施例１】
【００１６】
図１は苗箱収納輸送ラックの組立体の斜視図で組立体は基本的にはパネルブロック(Ａ)（Ｂ）（Ｃ）よりなっている。（Ａ）は左側枠用パネルブロック、（Ｂ）は右側枠用パネルブロック、（Ｃ）は中央枠用パネルブロックで、パネルブロック（Ａ）（Ｂ）はアルミの押出し成型になる表面に長手方向に多数の細溝が相並んで刻設状に設けられて滑り止め面を形成しているアルミ角パイプ（断面は方形）からなる前後の同一の縦桟（１）（２）間に傾斜上側受桟（３）を上下に等間隔に複数個例えば２〜６段（図示では各６段）架設され、ブロッツク(Ａ)（Ｂ）は夫々全体としてパネル形状をなしている。
中央枠用のパネルブロック（Ｃ）は上記縦桟（１）（２）と同一の縦桟（４）（５）間に傾斜下側受桟（６）がパネル（Ａ）（Ｂ）の横桟（３）の各取付位置よりも夫々低い位置に相対応して上下段状に架設されている。
これらの左側枠用パネル（Ａ）と中央枠用パネルブロック（Ｃ）と右側枠用パネルブロック（Ｂ）とを左右方向に等間隔に相隔てて起立状態に、各パネルブロック（Ａ）（Ｃ）（Ｂ）の前方縦桟（１）（４）（１）の下端を前下枠用スペースブロック（Ｄ）で連結しまた当該の前方縦桟（１）（４）（１）の上端は前上枠用スペースブロック（Ｆ）で連結している。
また、各パネルブロック（Ａ）（Ｃ）（Ｂ）の後方縦桟（２）（５）（２）の下端は後下枠用スペースブロック（Ｅ）で、上端は後上枠用スペースブロック（Ｇ）で連結し苗箱収納棚として組立体としている。
上記の各スペースブロック（Ｄ）（Ｅ）（Ｆ）（Ｇ）はいずれも全表面に長手方向の細溝を付けて滑り止め面としている断面方形の角パイプの水平桟から夫々なっており、各水平桟パイプ両端には同じくアルミ製Ｌ型のジョイント用型材ブロックよりなる継ぎ手（Ｊ）をボルト締めによって固定し、また桟中央部にはＴ型のジョイント用型材ブロックよりなる継ぎ手（Ｋ）をボルト締めによって介在し、パネルブロック（Ａ）（Ｂ）（Ｃ）とボルト締めによって固定している。
尚前後の縦桟（１）（２）の上部外側面には組立体の吊上げ用取付環（７）が固定されこの取付環（７）にワイヤー掛けして苗箱群を収納したまたは収納しない苗箱収納棚の組立体をそのまま吊り上げトラック等への積上げ、積下しを行うようにしている。
（Ｈ）はブロック（Ａ）（Ｃ）（Ｂ）の各前方縦桟（１）（４）（１）をその継ぎ手（Ｊ）間で上下斜めに連結している筋違い補強桟、（Ｉ）は各後方縦桟（２）（５）（２）を同じく継ぎ手（Ｊ）間で上下斜めに連結している筋違い補強桟を示す。
苗箱は図１の組立体において左右には２列に、前後には例えば５列等の複数列に上下には例えば６段等の複数段に多数載架収納することができるが、パネルブロック（Ａ）（Ｂ）（Ｃ）の各縦桟（１）（２）（４）（５）の中間に夫々ブロック継ぎ手（Ｋ）と類似のＴ形のジョイント用型材ブロックとねじ込みボルトとの組合わを介在させ、これらブロック（Ａ）（Ｂ）（Ｃ）を着脱自在に上下に２分割し、下枠用スペースブロック（Ｄ）（Ｅ）と上枠用スペースブロック（Ｆ）（Ｇ）を別にもう１組宛用意しておけば全体が６段構成の場合、２段構成のものと、４段構成のものとに分けて使用することができる。
このようにして多数の苗箱は組立体内部の中央枠用パネルブロック（Ｃ）に向かって左右の外側から夫々下降傾斜状かつ段状に前後方向に相並んで収納される。
この組立体はブロック（Ｄ）（Ｆ）側およびブロック（Ｅ）（Ｇ）側のいずれかを前方に、他方を後方に向けてトラック荷台上に収容し、収納苗箱群はトラックの走行方向に向かって左右上向きの逆「ハ」の字状に段設配列された状態となる。
【００１７】
図２は傾斜下側受桟（６）と傾斜上側受桟（３）との組合わせによって苗箱（８）を収納支承している状態を示している。
矩形苗箱（８）はその長手方向に傾斜してラック組立体内に相並べて段状に収納されるが、苗箱（８）の下降側端部はその底面が受桟（６）の下端から外側方へ上方傾斜状に張り出した表面に横方向の密間隔の突条群を有する受け面（６−１）によって反覆して線接触的に支持され、かつその端側面が受桟（６）の傾斜した縦側面（６−２）に反覆して線接触的に支持され苗箱（８）の受け面（６−１）からの離脱に対し抵抗作用を示す。
他方苗箱（８）の上昇側端部近傍は苗箱の底面を横断してこれに反覆して線接触する傾斜上側受桟（３）の傾斜面（３−１）によって支持される。
上記の板材（６−１）、縦側面（６−２）、傾斜面（３−１）の傾斜角度は苗箱の収納傾斜角度（通常２０°前後に設定される）に合せて設定され、またこれら（６−１）（６−２）（３−１）の苗箱と接触する表面には横方向に密間隔に配列された細溝ないしは細突条が設けられ苗箱長手方向または苗箱の持ち上がり方向に対し夫々不規則移動を防止する抵抗面を形成している。
また、受桟（６）の上端から受け面（６−３）が受け面（６−１）と略平行に上方傾斜状に張り出されその内表面には横方向空間隔に滑り止め用突条群が配設されている。
上記受桟（６）は縦断面台形のパイプ材よりなり、その台形下端両側から支出している比較的長い受け面（６−１）はその上面に苗箱（８）との接触面（９−１）、非接触面（９−２）次いで線接触端縁（９−３）を形成している。
また、台形上端両側より支出している比較的短い受け面（６−３）と上記の受け面（６−１）とで苗箱（８）の下降側端面を上下より案内する。
また、受桟（３）は断面横倒し型台形のパイプ材よりなり、その上面が苗箱を下降傾斜状に案内する支持面を形成している。
【００１８】
図１では左右および中央のパネルブロックの組合わせを示しているが、右側または左側のパネルブロック（Ａ）または（Ｂ）と中央のパネルブロック（Ｃ）との組合わせとすることも可能であり、この場合には中央のパネルブロック（Ｃ）は左側ブロック（Ａ）または右側ブロック（Ｂ）に対面する側のみに板材（６−１）を支出した構成とすればよい。
このようなパネルブロック（Ａ）または（Ｂ）と（Ｃ）との組合わせとした場合、（Ａ）と（Ｃ）の組合わせと（Ｃ）と（Ｂ）の組合わせを左右対称に配列して使用することもできる。
【００１９】
上記のように苗箱の収納輸送棚は左側枠用パネルブロック（Ａ）、右側枠用パネルブロック（Ｂ）、中央枠用パネルブロックおよびパネルブロック（Ａ）（Ｂ）（Ｃ）の上端および下端相互を結合連結するスペースブロック（Ｄ）（Ｅ）（Ｆ）（Ｇ）更には前後各１対の筋違い補強桟（Ｈ）（Ｉ）との着脱自在な組立体であって、パネルブロック（Ａ）（Ｂ）（Ｃ）は夫々前後縦桟（１）（２）とそれらの間で連結されている水平材〔受桟（３）（６）（３）〕とからなっており、またスペースブロック（Ｄ）（Ｅ）（Ｆ）（Ｇ）は左右の水平桟および縦桟（４）とをＴ型継ぎ手（Ｋ）で夫々着脱自在に連結した構成であり、またスペースブロック（Ｄ）（Ｅ）（Ｆ）（Ｇ）の両端は縦桟（１）（２）と夫々Ｌ型継ぎ手（Ｊ）で夫々着脱自在に連結した構成となっている。
【図面の簡単な説明】
【００２０】
【図１】苗箱収納ラックの組立体斜視図
【図２】同上における傾斜下側受桟と傾斜上側受桟との組合わせによって傾斜苗箱を      支持している機構を示す説明図
【符号の説明】
【００２１】
Ａ……左側枠用パネルブロック
Ｂ……右側枠用パネルブロック
Ｃ……中央枠用パネルブロック
Ｄ……前下枠用スペースブロック
Ｅ……後下枠用スペースブロック
Ｆ……前上枠用スペースブロック
Ｇ……後上枠用スペースブロック
Ｈ……筋違い補強桟
Ｉ……筋違い補強桟
Ｊ……ジョイント用型材ブロックの継ぎ手
Ｋ……ジョイント用型材ブロックの継ぎ手
１……縦桟
２……縦桟
３……傾斜上側受桟
３−１……傾斜面
４……縦桟
５……縦桟
６……傾斜下側受桟
６−１……受け面
６−２……縦側面
６−３……受け面
７……吊上げ用取付環
８……苗箱
９−１……接触面
９−２……非接触面
９−３……線接触端縁
【図１】
2006262901.tif 000003
【図２】
2006262901.tif 000004